(57)【要約】【課題】盗難登録されたカードの継続利用を許可した場合であっても、そのカードがそのまま記録媒体処理装置に収納されてしまうことを未然に回避する。【解決手段】盗難されたカードのカードＩＤを盗難登録リストに登録することにより、そのカードが何れかの計数貸出ユニット２で使用されると、異常報知メッセージを液晶表示部２４に表示し、これ以降の全ての操作を無効化する。従業員が事実確認を行った結果として盗難されたカードでないとの判断をしたことで、そのままカードの継続利用を許可すると、そのカードに記録されている入金残高及び持玉数の両方が無くなった（ゼロになった）ときにカードを回収することなく、カードを回収すべき旨の呼出メッセージを表示する。【選択図】図１
2015198815.tif 000002
【特許請求の範囲】
【請求項１】
複数の遊技機と、各遊技機に対応して設けられ、入金残高を示す情報が記録された記録媒体を受け付けて当該入金残高の範囲内で遊技に使用する遊技価値を遊技者に付与すると共に、入金残高が無くなったときに当該記録媒体を収納部に回収する複数の記録媒体処理装置と、前記複数の遊技機及び前記複数の記録媒体処理装置の稼動状況を管理する管理装置と、を備えた遊技場用管理システムにおいて、
遊技者からの盗難登録の申告に基づいて、盗難された記録媒体の識別情報を盗難登録リストに登録する盗難登録手段と、
前記記録媒体処理装置が受け付けた記録媒体の識別情報と、前記盗難登録リストに登録されている識別情報とを照合する照合手段と、
前記照合手段により照合された結果、前記記録媒体処理装置が受け付けた記録媒体の識別情報と、前記盗難登録リストに登録されている識別情報とが一致したときに、異常が発生した旨の報知を前記記録媒体処理装置において実行させる異常報知手段と、
従業員の操作に応じて前記異常報知手段による前記報知を停止する異常報知停止手段と、を備え、
前記記録媒体処理装置は、前記異常報知手段による前記報知の実行に際して前記記録媒体に対する所定の処理を無効化し、前記異常報知手段による前記報知が前記異常報知手段停止により停止された後に前記無効化した所定の処理を有効化すると共に、前記入金残高が無くなったときは当該記録媒体を前記収納部に回収することなく、従業員に対して当該記録媒体を回収すべき旨の報知を実行することを特徴とする遊技場用管理システム。
【請求項２】
前記記録媒体処理装置は、前記異常報知手段による前記報知の実行に際して少なくとも前記記録媒体の返却処理を無効化することを特徴とする請求項１に記載した遊技場用管理システム。
【請求項３】
前記盗難登録手段は、前記記録媒体処理装置及び前記管理装置の何れか一方、又は双方に備えられていることを特徴とする請求項１又は２に記載した遊技場用管理システム。
【請求項４】
前記照合手段は、前記記録媒体処理装置及び前記管理装置の何れか一方に備えられていることを特徴とする請求項１から３の何れか一項に記載した遊技場用管理システム。
【請求項５】
前記記録媒体処理装置は、遊技機から払い出された遊技媒体を計数し、その計数値を前記記録媒体に記録する計数手段を備え、
前記入金残高及び前記計数値の両方が無くなったときに前記記録媒体を前記収納部に回収することを特徴とする請求項１から４の何れか一項に記載した遊技場用管理システム。
【発明の詳細な説明】
【技術分野】
【０００１】
本発明は、各遊技機に対応して記録媒体処理装置が設けられている遊技場で用いられる遊技場用管理システムに関する。
【背景技術】
【０００２】
従来、例えば特許文献１に記載されているように、遊技者からの盗難登録の申告に応じて特定のカードを盗難された可能性が高いものとして登録し、以後の使用を抑制することが一般的に行われている。具体的には、盗難登録されたカードが何れかの記録媒体処理装置で読み取られたときに、盗難登録されたカードであることを検知して使用を停止すると共に従業員に報知し、従業員がその場で事実確認を行うという運用が一般的である。これにより、自分のカードが盗難されたことに気付いた遊技者は、遊技場側に盗難登録を申告することで被害を最小限に抑えることができる。
【先行技術文献】
【特許文献】
【０００３】
【特許文献１】特開２００９−２３３２４５号公報
【発明の概要】
【発明が解決しようとする課題】
【０００４】
ところで、盗難登録する際に対象となるカードの特定を誤って全く別のカードを盗難登録してしまう場合があり、その場合には全く無関係の遊技者が使用しているカードが使用中に突然エラー状態になり、迷惑を掛けてしまうことがあった。その場合には、現場で事実確認を行った従業員がリモコンを操作してエラー状態を解除し、そのままカードの継続利用を許可することになるが、その後、遊技者の入金残高が無くなった（ゼロになった）ときにカードが記録媒体処理装置の収納部に収納され、そのカードが新たな入金に応じて収納部から再度カードリーダライタへ繰り出されたときに再びエラー状態になってしまうという問題があった。
【０００５】
本発明は、上記した事情に鑑みてなされたものであり、その目的は、盗難登録されたカードの継続利用を許可した場合であっても、そのカードがそのまま記録媒体処理装置に収納されてしまうことを未然に回避することができる遊技場用管理システムを提供することにある。
【課題を解決するための手段】
【０００６】
請求項１に記載した発明は、複数の遊技機と、各遊技機に対応して設けられ、入金残高を示す情報が記録された記録媒体を受け付けて当該入金残高の範囲内で遊技に使用する遊技価値を遊技者に付与すると共に、入金残高が無くなったときに当該記録媒体を収納部に回収する複数の記録媒体処理装置と、前記複数の遊技機及び前記複数の記録媒体処理装置の稼動状況を管理する管理装置と、を備えた遊技場用管理システムにおいて、遊技者からの盗難登録の申告に基づいて、盗難された記録媒体の識別情報を盗難登録リストに登録する盗難登録手段と、前記記録媒体処理装置が受け付けた記録媒体の識別情報と、前記盗難登録リストに登録されている識別情報とを照合する照合手段と、前記照合手段により照合された結果、前記記録媒体処理装置が受け付けた記録媒体の識別情報と、前記盗難登録リストに登録されている識別情報とが一致したときに、異常が発生した旨の報知を前記記録媒体処理装置において実行させる異常報知手段と、従業員の操作に応じて前記異常報知手段による前記報知を停止する異常報知停止手段と、を備え、前記記録媒体処理装置は、前記異常報知手段による前記報知の実行に際して前記記録媒体に対する所定の処理を無効化し、前記異常報知手段による前記報知が前記異常報知手段停止により停止された後に前記無効化した所定の処理を有効化すると共に、前記入金残高が無くなったときは当該記録媒体を前記収納部に回収することなく、従業員に対して当該記録媒体を回収すべき旨の報知を実行することを特徴とする。
【０００７】
請求項２に記載した発明は、前記記録媒体処理装置は、前記異常報知手段による前記報知の実行に際して少なくとも前記記録媒体の返却処理を無効化することを特徴とする。
請求項３に記載した発明は、前記盗難登録手段は、前記記録媒体処理装置及び前記管理装置の何れか一方、又は双方に備えられていることを特徴とする。
【０００８】
請求項４に記載した発明は、前記照合手段は、前記記録媒体処理装置及び前記管理装置の何れか一方に備えられていることを特徴とする。
請求項５に記載した発明は、前記記録媒体処理装置は、遊技機から払い出された遊技媒体を計数し、その計数値を前記記録媒体に記録する計数手段を備え、前記入金残高及び前記計数値の両方が無くなったときに前記記録媒体を前記収納部に回収することを特徴とする。
【発明の効果】
【０００９】
請求項１に記載した発明によれば、盗難された記録媒体の識別情報を盗難登録リストに登録することにより、その記録媒体が何れかの記録媒体処理装置で使用されたときに、異常が発生した旨の報知を実行するようにしたので、その報知の実行を受けて従業員が対応することで、記録媒体が盗難された遊技者が受ける被害を抑制することができる。そして、異常が発生した旨の報知を実行した後に、従業員が事実確認を行った結果として盗難された記録媒体でないとの判断をしたことで、そのままカードの継続利用を許可すると、それ以降に記録媒体に記録されている入金残高が無くなった（ゼロになった）ときに記録媒体を収納部に回収することなく、記録媒体を回収すべき旨の報知を実行するようにしたので、その報知の実行を受けて従業員が当該記録媒体を返却して自身で回収することで、盗難登録された記録媒体がそのまま記録媒体処理装置に回収されてしまうことを防止することができる。
【００１０】
請求項２に記載した発明によれば、異常が発生した旨の報知を実行するに際して記録媒体の返却処理を無効化するようにしたので、その記録媒体を用いて遊技していた遊技者が記録媒体を持ち去ってしまうことを防止することができる。
【００１１】
請求項３に記載した発明によれば、盗難登録手段が、記録媒体処理装置及び管理装置の何れか一方、又は双方に備えられているので、盗難登録手段が記録媒体処理装置に備えられている構成では、盗難に気付いた遊技者が従業員を呼び出すことで、遊技場内の例えば事務室等に出向かなくとも速やかに盗難登録を申告することができると共に、管理装置の処理負荷を軽減することができる。一方、盗難登録手段が管理装置に備えられている構成では、盗難に気付いた遊技者からの盗難登録の申告により従業員が呼び出されることを防止することができ、従業員の負担を軽減することができると共に、記録媒体処理装置の処理負荷を軽減することができる。
【００１２】
請求項４に記載した発明によれば、照合手段が、記録媒体処理装置及び管理装置の何れか一方に備えられているので、照合手段が記録媒体処理装置に備えられている構成では、管理装置の処理負荷を軽減することができる。一方、照合手段が管理装置に備えられている構成では、記録媒体処理装置の処理負荷を軽減することができる。
【００１３】
請求項５に記載した発明によれば、記録媒体に記録されている入金残高及び計数値の両方が無くなったときに記録媒体を収納部に回収するようにしたので、記録媒体を回収すべき旨の報知を実行することで、入金残高及び計数値の両方が無くなった記録媒体がそのまま記録媒体処理装置に回収されてしまうことを防止することができる。
【図面の簡単な説明】
【００１４】
【図１】本発明の一実施形態における遊技場用管理システムの全体構成図
【図２】遊技機及び計数貸出ユニットの正面図
【図３】計数貸出ユニットの機能ブロック図
【図４】カード処理履歴データを示す図
【図５】管理装置の処理を示すフローチャート
【図６】計数貸出ユニットの処理を示すフローチャート
【発明を実施するための形態】
【００１５】
以下、本発明の一実施形態について図面を参照して説明する。
図１は、遊技場用管理システムの全体構成を概略的に示している。遊技場内には複数の遊技機１が設置されており、各遊技機１に対応して計数貸出ユニット２（記録媒体処理装置に相当）が設置されている。これら遊技機１及び計数貸出ユニット２は、複数台ずつ中継端末３と接続されている。中継端末３は、ＬＡＮ４を介して管理装置５（盗難登録手段、照合手段、異常報知手段に相当）と接続されている。管理装置５は、遊技機側（遊技機１、計数貸出ユニット２等）から送信される遊技信号を受信することにより遊技機１毎の遊技データや会員登録された会員遊技者毎の個人データ等を管理する。尚、遊技場内には遊技媒体の貸出単価が異なる複数の遊技機島が形成されている。図１では、玉（遊技媒体）の貸出単価が４円の遊技機島（４円遊技機島）と１円の遊技機島（１円遊技機島）とを例示している。
【００１６】
遊技場内にはＰＯＳ（景品交換装置）６及び精算装置７も設置されている。これらＰＯＳ６及び精算装置７も、ＬＡＮ４を介して管理装置５と接続されている。ＰＯＳ６は、カードリーダライタ８を接続しており、一般カード９（図３参照）又は会員カード１０（図３参照）がカードリーダライタ８により受け付けられ、その受け付けられた一般カード９又は会員カード１０に記録されている遊技価値（持玉数や貯玉数）がカードリーダライタ８により読み取られると、その読み取られた遊技価値に基づいて景品交換処理を実行する。
【００１７】
精算装置７は、一般カード９又は会員カード１０がカード挿入口１１に挿入されると、その挿入された一般カード９又は会員カード１０に記録されている入金残高をカードリーダライタ（図示せず）により読み取り、その読み取った入金残高に対応する紙幣や硬貨を返却口１２から返却する返却処理を実行する。尚、ＰＯＳ６及び精算装置７において一般カード９又は会員カード１０に記録されている遊技価値を取り扱うときは、管理装置５が一般カード９又は会員カード１０に対応して予め記憶している遊技価値と照合し、真であると判定したことを条件として遊技価値の取り扱いを有効とする。
【００１８】
管理装置５は、遊技場内の例えば事務室等に設置されており、遊技場の管理者が操作するキーボード１３、モニタ１４、プリンタ（図示せず）等が接続されている。尚、図１では図示を省略したが、実際には例えば数百台の遊技機１が管理装置５の管理対象となっている。管理装置５は、遊技場内に設置された遊技機１、計数貸出ユニット２、ＰＯＳ６等の稼動状況を管理すると共に、遊技機１側から受信する各種の信号に基づいて遊技者毎の遊技価値（持玉数や貯玉数）や入金残高等を記憶管理する。持玉とは当日中に計数した玉であり、貯玉とは前日以前に計数した玉である。
【００１９】
図２は、遊技機１及び計数貸出ユニット２の構成を概略的に示している。遊技機１は、ＣＲパチンコ機であり、盤面１５に玉を発射する発射装置を構成する操作ハンドル１６、上部受皿１７、下部受皿１８を有すると共に、盤面１５に、液晶表示部１９、始動口２０、大入賞口２１を有する。遊技者が操作ハンドル１６を操作すると、玉（遊技媒体）が盤面１５に発射され、そのパチンコ玉が始動口２０に入賞すると、その入賞に応じた玉数のパチンコ玉を払出したり大当たり抽選を行ったりする。大当たり抽選では、液晶表示部１９において所謂特別図柄（特図）による図柄変動を実行し、停止表示された図柄が大当たり図柄の場合に大当たりが発生する。大当たりが発生すると、例えば１５ラウンド分だけ大入賞口２１を開放する。
【００２０】
遊技機１は、遊技者による遊技が進行することに応じて、遊技機１に投入された（盤面１５に打ち込まれて消費された）遊技媒体の数を示すアウト玉数（消費媒体数）を特定可能なアウト信号、遊技機１から入賞により払い出された遊技媒体の数を示すセーフ玉数（払出媒体数）を特定可能なセーフ信号、遊技機１で発生したスタート（大当たりの抽選の実行）を特定可能なスタート信号、遊技機１で発生した大当たり状態を特定可能な大当たり信号等の各種の遊技信号を送信する。
【００２１】
計数貸出ユニット２は、現在の運用状態（正常状態、エラー状態等）を示す状態表示部２２、紙幣が投入される紙幣投入口２３、遊技者からの操作入力を受け付けると共に、入金残高、持玉数及び貯玉数の情報や、遊技の進行に伴って図柄変動回数（スタート回数）や大当たり確率等の遊技データを表示するタッチパネル式の液晶表示部２４、１単位分（５００円相当）の玉を払い出すための払出ボタン２５、払い出された玉が通過する払出ノズル２６、従業員が携帯する従業員リモコン４０（図１及び図３参照）からの光信号を受信するリモコン受光部２７、一般カード９又は会員カード１０が挿入されるカード挿入口２８、遊技機１の下部受皿１８の下方に位置する着脱可能な計数受皿２９等を有する。又、計数貸出ユニット２は、遊技機１に設けられている貸出ボタン３０及び返却ボタン３１の操作を検知可能となっている。
【００２２】
図３は、計数貸出ユニット２の機能ブロック図を示している。計数貸出ユニット２は、ＣＰＵ３２ａ、ＲＯＭ３２ｂ、ＲＡＭ３２ｃ、Ｉ／Ｏ３２ｄを有するマイクロコンピュータにより構成される制御部３２（異常報知停止手段に相当）、当該制御部３２と接続された周辺部を備えて構成されている。周辺部としては、管理装置５及び遊技機１との間で各種の信号や各種の情報を送受信するＩ／Ｆ部３３、紙幣投入口２３に投入された紙幣の真贋を判定する紙幣処理部３４、液晶表示部２４、当該液晶表示部２４上に設けられたタッチパネル３５、カード挿入口２８に挿入された一般カード９又は会員カード１０に記録されている各種の情報を読み取ったり書き込んだりするカードリーダライタ３６、最大１０枚の一般カード９をストック可能なカードストック部３７（収納部に相当）、リモコン受光部２７、払出ボタン２５、当該払出ボタン２５が操作されたときに１単位分（例えば５００円分）の玉を払出ノズル２６から払い出す払出部３８、計数受皿２９から流入する玉を計数する計数部３９（計数手段に相当）等である。
【００２３】
一般カード９にはＩＣチップ９ａが内蔵されており、そのＩＣチップ９ａにはカードを特定可能な一般ＩＤが記憶されている。会員カード１０にはＩＣチップ１０ａが内蔵されており、そのＩＣチップ１０ａにはカード（カードの会員）を特定可能な会員ＩＤが記憶されている。これら一般カード９又は会員カード１０は、計数貸出ユニット２に入金された入金残高を示す残高情報や持玉数を示す持玉情報を記録する（特定する）ための記録媒体である。一般カード９は当日限り有効であり、入金残高及び持玉数を記録可能である。会員カード１０は、予め設定されている有効期限（例えば３年間）まで有効であり、入金残高を記録可能である。会員カード１０に対応する持玉数や貯玉数は管理装置５のみに記憶される。
【００２４】
計数貸出ユニット２は、以下に示す機能を備えている。
（１）紙幣が紙幣投入口２３に投入されると、その投入された紙幣の金額（１０００円単位）を記憶すると共に、投入金額（入金残高）を液晶表示部２４に表示する。
（２）遊技機１の貸出ボタン３０が操作されると、その貸出ボタン３０の操作に応じて入金残高の範囲内で１度数（５００円）に相当する玉数の玉を遊技機１内部の払出機構から貸し出す（遊技媒体の貸出処理を行う）。４円遊技機島に設置されている計数貸出ユニット２であれば、１２５玉を払い出し、１円遊技機島に設置されている計数貸出ユニット２であれば、５００玉を払い出す。このとき、遊技機１から計数貸出ユニット２に１度数分の玉を払い出したことを示す信号が送信されるので、液晶表示部２４に表示されている入金残高から１度数（５００円）を減額すると共に、貸し出した遊技媒体の数を示す貸出玉数（貸出媒体数）を特定可能な売上信号を送信する。この売上信号は１度数分の玉を払い出す毎に１パルスが送信されるので、１パルスを５００円分の売上額として特定する。
【００２５】
（３）遊技機１の下部受皿１８から落下した玉が計数受皿２９で受けられると、その計数受皿２９で受けられた玉が計数部３９に流入することで玉を計数し、その計数した玉数である計数玉数を液晶表示部２４に表示する（遊技媒体の計数処理を行う）。
（４）払出ボタン２５が操作されると、その払出ボタン２５の操作に応じて計数玉数（持玉数）又は貯玉数（会員遊技者の場合）の範囲内で１度数（５００円）に相当する玉数の玉を遊技機１内部の払出機構から払い出す（遊技媒体の払出処理を行う）。
【００２６】
（５）遊技機１の返却ボタン３１が操作されると、その返却ボタン３１の操作に応じて入金残高や持玉数を一般カード９又は会員カード１０に記録して発行する（遊技媒体の返却処理を行う）。一般カード９及び会員カード１０の何れもカード挿入口２８に挿入されていない場合は、カードストック部３７にストックしている一般カード９を図示しない記録媒体移動手段によりカードリーダライタ３６に繰り出して（セットして）入金残高及び持玉数を記録して発行する。尚、一般カード９はカードストック部３７に最大１０枚までストック可能である。会員カード１０がカード挿入口２８に挿入されている場合は、入金残高を会員カード１０に記録し、暗証番号の入力を条件として持玉数を管理装置５に送信してから会員カード１０を発行する。一般カード９又は会員カード１０を発行する場合は、発行情報を管理装置５へ送信し、管理装置５側にも記憶する。尚、このように持玉数を一般カード９又は会員カード１０に記録して発行したときには、計数玉数をゼロリセットする（初期化する）。
【００２７】
（６）一般カード９がカード挿入口２８に挿入されると（一般カード９を受け付けると）、その受け付けた一般カード９に記録されている入金残高及び持玉数をカードリーダライタ３６により読出して液晶表示部２４に表示する。一般カード９を受け付けたときは、その一般カード９に記録されている入金残高及び持玉数の範囲内で貸出処理及び払出処理を行う。
【００２８】
（７）会員カード１０がカード挿入口２８に挿入されると（会員カード１０を受け付けると）、その受け付けた会員カード１０に記録されている入金残高をカードリーダライタ３６により読出して液晶表示部２４に表示し、暗証番号の入力を条件として管理装置５の会員口座に記憶されている貯玉数（当日貯玉数や前日貯玉数）も表示する。当日貯玉数とは当日貯玉された貯玉数であり、前日貯玉数とは前日までの貯玉数である。尚、当日貯玉数は営業終了後に前日貯玉数に合算されて記憶される。会員カード１０を受け付けたときは、その会員カード１０に記録されている入金残高、その会員カード１０に対応して管理装置５が記憶している持玉数及び貯玉数の範囲内で貸出処理及び払出処理を行う。
【００２９】
（８）紙幣が紙幣投入口２３に投入された（入金が発生した）とき、一般カード９又は会員カード１０を受け付けた（カードの受付が発生した）とき、一般カード９又は会員カード１０を返却した（カードの返却が発生した）ときに、その処理の対象となったカードのカードＩＤ（記録媒体の識別情報）、処理種別（入金、カードの受付、カードの返却）、そのカードに対応付けられている入金残高、持玉数を特定可能なカード処理信号を管理装置５に送信する。
【００３０】
（９）液晶表示部２４に対する操作入力に応じて対応する遊技機１又は指定された他の遊技機１の遊技データを表示したり、遊技場からのメッセージを表示したり、遊技者が会員遊技者であることが特定された場合は遊技機１の遊技データを表示したりする。
【００３１】
管理装置５は、記憶しているコンピュータプログラムにしたがって作動し、遊技機１の稼動状況を示す遊技データ（アウト玉数、セーフ玉数、遊技機１で発生した大当たりの回数を示す大当たり回数、遊技機１で実行されたゲームの回数を示すスタート回数、遊技機１が稼動している時間を示す稼動時間等）を管理して表示する遊技情報表示サービス、遊技者が遊技により獲得した遊技媒体を一旦貯蓄して当日又は後日遊技に再利用できるようにする貯玉サービス等を行う。尚、管理装置５が管理する遊技データは例示したものに限定されない。
【００３２】
又、管理装置５は、遊技場においてカード（一般カード９又は会員カード１０）の盗難が発生することを考慮し、遊技者からの盗難登録の申告があると、盗難された可能性が高いカードの登録やカードＩＤの照合を行い、被害を最小限に抑える対策を行う。管理装置５は、盗難された可能性が高いカードの登録やカードＩＤの照合として、以下に示す機能を備えている。
【００３３】
（１）各計数貸出ユニット２からカード処理信号を受信すると、その受信したカード処理信号により特定されるカードＩＤ、処理種別、そのカードに対応付けられている入金残高、持玉数を特定してレコードを作成し、図４に示すように、遊技機番号毎の（計数貸出ユニット毎の）カード処理履歴データに追加する。この場合、カード処理履歴データに記録する発生時刻は、各計数貸出ユニット２からカード処理信号を受信した時刻であっても良いし、各計数貸出ユニット２が処理の発生時刻を特定可能なカード処理信号を送信可能であれば、そのカード処理信号により特定される発生時刻であっても良い。又、一般カード９と会員カード１０とを区分してカード処理履歴データを管理しても良いし、一般カード９と会員カード１０とを区分せずに混在してカード処理履歴データを管理しても良い。又、カード処理信号により特定される処理種別がカードの受付であるときは、後述する（６）の処理を行う。
【００３４】
（２）盗難の被害に遭った遊技者が盗難登録を申告したことを受け、盗難の被害に遭った遊技者から報告された遊技機番号を従業員が操作入力すると、その遊技機番号に対応するカード処理履歴データをモニタ１４上に表示する。この場合、従業員は、モニタ１４上に表示されるカード処理履歴データを確認し、盗難の被害に遭った時刻を遊技者から聞き出し、その遊技者から聞き出した時刻の付近で返却されたカードを特定することで、盗難された可能性が高いカードのカードＩＤを推測して特定する。そして、従業員は、盗難された可能性が高いカードのカードＩＤを特定すると、その盗難された可能性が高いと特定したカードのカードＩＤを盗難登録リストに追加する操作を行う。
【００３５】
（３）各計数貸出ユニット２で使用中（受け付け中）のカードＩＤを使用中リストに記憶している。
（４）従業員が盗難登録リストにカードＩＤを追加する操作を行うと、その従業員が指定したカードＩＤを盗難登録リストに追加する（登録する）。この場合、盗難登録リストに追加した時刻を対応付けて管理しても良い。新たなカードＩＤが盗難登録リストに追加されると、その新たに盗難登録リストに追加されたカードＩＤと、その時点で記憶している（最新の）使用中リストのカードＩＤとを照合する。新たに盗難登録リストに追加されたカードＩＤが使用中リストに存在すると、そのカードを使用中の計数貸出ユニット２を使用中リストに基づいて特定し、その特定した計数貸出ユニット２に盗難カード特定信号を送信する。
【００３６】
（５）従業員が盗難登録リストからカードＩＤを削除する操作を行うと、その従業員が指定したカードＩＤを盗難登録リストから削除する（抹消する）。この場合、盗難登録リストから削除した時刻を対応付けて管理しても良い。
（６）各計数貸出ユニット２から受信したカード処理信号により特定される処理種別がカードの受付であるときは、その受信したカード処理信号により特定されるカードＩＤと、その時点で記憶している（最新の）盗難登録リストのカードＩＤとを照合する。カード処理信号により特定されるカードＩＤが盗難登録リストに存在すると、そのカードを使用中の計数貸出ユニット２を使用中リストに基づいて特定し、この場合も、その特定した計数貸出ユニット２に盗難カード特定信号を送信する。
【００３７】
計数貸出ユニット２は、このようにして管理装置５から送信される盗難カード特定信号を受信すると、エラー状態を設定し（正常状態からエラー状態に移行し）、例えば「異常発生、従業員をお呼びください。」等の異常報知メッセージを液晶表示部２４に表示すると共に、これ以降の全ての操作（貸し出し操作、払い出し操作、返却操作等）を無効化する。この場合、異常報知メッセージを確認した従業員は、その場で事実確認を行い、事実確認を行った結果として盗難の疑いがあると判断すると、遊技機１の返却ボタン３１を操作してカードを返却し、そのカードを持参して遊技者と共に管理室に行き、管理室で詳細な事実確認を行う。一方、従業員は、事実確認を行った結果として盗難の疑いがないと判断すると、従業員リモコン４０を操作し、エラー状態を解除し（エラー状態から正常状態に復帰し）、そのままカードの継続利用を許可する。遊技場においては、盗難の被害に遭った遊技者から盗難登録の申告があると、以上の処理を行うことで、被害を最小限に抑えるようにしている。
【００３８】
さて、上記したように従業員が、モニタ１４上に表示されるカード処理履歴データを確認し、盗難された可能性が高いカードのカードＩＤを推測して特定するが、この場合、盗難された可能性が高いカードのカードＩＤを正しく特定できるとは限らない。即ち、盗難された可能性が高いカードのカードＩＤを誤って特定し、その誤って特定したカードＩＤを盗難登録リストに追加してしまう場合がある。そうなると、全く無関係の遊技者が使用しているカードが使用中に突然エラー状態となり、迷惑を掛けてしまうことなる。その場合には、現場で事実確認を行った従業員が従業員リモコン４０を操作してエラー状態を解除し、そのままカードの継続利用を許可することになるが、その後、遊技者の入金残高及び持玉数の両方が無くなった（ゼロになった）ときにカードがカードストック部３７に収納され、新たな入金に応じて再度カードリーダライタ３６へ繰り出されたときには再びエラー状態となってしまうという問題があった。
【００３９】
このような問題に対し、本発明では、計数貸出ユニット２は、上記した（１）から（９）に加え、以下に示す機能を備えている。
（１０）従業員が従業員リモコン４０を操作したことを受け、従業員リモコン４０からエラー解除信号を受信すると、上記したようにエラー状態を解除させてそのままカードの継続利用を許可するが、カードが一般カード９であれば回収準備フラグを成立させる。尚、カードが会員カード１０であれば回収準備フラグは成立させない。
【００４０】
（１１）回収準備フラグを成立させている状態で入金残高及び持玉数の両方が無くなったときには、カードをカードストック部３７に回収することなくそのまま維持した状態で（カードを未回収の状態で）呼出メッセージを液晶表示部２４に表示する。この場合、呼出メッセージを確認した従業員は、その場で遊技機１の返却ボタン３１を操作してカードを返却し、そのカードを持参して管理室に行き、そのカードのカードＩＤを盗難登録リストから削除する操作を行う。
【００４１】
次に、上記した構成の作用について、図５及び図６も参照して説明する。管理装置５は、本発明に関連し、盗難登録・照合処理を所定周期で行う。又、計数貸出ユニット２は、本発明に関連し、盗難報知処理を所定周期で行う。以下、それぞれの処理について順次説明する。
【００４２】
（ア）管理装置５が行う盗難登録・照合処理
管理装置５は、メイン処理を実行中に盗難登録・照合処理の開始タイミングになったか否かを判定しており、盗難登録・照合処理の開始タイミングになったと判定すると、メイン処理から盗難登録・照合処理に移行し、盗難登録・照合処理を開始する。管理装置５は、盗難登録・照合処理を開始すると、計数貸出ユニット２からカード処理信号を受信したか否か（Ａ１）、従業員が遊技機番号を操作入力したか否か（Ａ２）、従業員が盗難登録リストにカードＩＤを追加する操作を行ったか否か（Ａ３）、従業員が盗難登録リストからカードＩＤを削除する操作を行ったか否かを判定する（Ａ４）。
【００４３】
管理装置５は、計数貸出ユニット２からカード処理信号を受信したと判定すると（Ａ１：ＹＥＳ）、その受信したカード処理信号により特定されるカードＩＤ、処理種別、そのカードに対応付けられている入金残高、持玉数を特定してレコードを作成し（Ａ５）、その作成したレコードをカード処理履歴データに追加する（Ａ６）。次いで、管理装置５は、カード処理信号により特定される処理種別がカードの受付であるか否かを判定し（Ａ７）、カードの受付であると判定すると（Ａ７：ＹＥＳ）、その受信したカード処理信号により特定されるカードＩＤ（受け付けたカードＩＤ）と、その時点で記憶している盗難登録リストのカードＩＤとを照合する（Ａ８）。管理装置５は、カード処理信号により特定されるカードＩＤが盗難登録リストに存在すると判定すると（Ａ８：ＹＥＳ）、そのカードを使用中の計数貸出ユニット２を使用中リストに基づいて特定し（Ａ９）、その特定した計数貸出ユニット２に盗難カード特定信号を送信し（Ａ１０）、盗難登録・照合処理を終了してメイン処理にリターンする。尚、管理装置５は、カード処理信号により特定される処理種別がカードの受付でない（入金又はカードの返却である）と判定すると（Ａ７：ＮＯ）、盗難登録・照合処理を終了してメイン処理にリターンする。又、管理装置５は、カード処理信号により特定されるカードＩＤが盗難登録リストに存在しないと判定すると（Ａ８：ＮＯ）、盗難登録・照合処理を終了してメイン処理にリターンする。
【００４４】
管理装置５は、盗難の被害に遭った遊技者からの盗難登録の申告を従業員が受け、盗難の被害に遭った遊技者から報告された遊技機番号を従業員が操作入力したと判定すると（Ａ２：ＹＥＳ）、その遊技機番号に対応するカード処理履歴データをモニタ１４上に表示し（Ａ１１）、盗難登録・照合処理を終了してメイン処理にリターンする。従業員は、モニタ１４上に表示されるカード処理履歴データを確認し、盗難の被害に遭った時刻を遊技者から聞き出し、その遊技者から聞き出した時刻の付近で返却されたカードを特定することで、盗難された可能性が高いカードのカードＩＤを特定可能となる。
【００４５】
管理装置５は、このようにして従業員が盗難された可能性が高いカードのカードＩＤを特定した後に、その特定したカードＩＤを盗難登録リストに追加する操作を行ったと判定すると（Ａ３：ＹＥＳ）、その従業員が指定したカードＩＤを盗難登録リストに追加し（Ａ１２）、その新たに盗難登録リストに追加されたカードＩＤと、その時点で記憶している使用中リストのカードＩＤとを照合する（Ａ１３）。管理装置５は、新たに盗難登録リストに追加されたカードＩＤが使用中リストに存在すると判定すると（Ａ１３：ＹＥＳ）、この場合も、そのカードを使用中の計数貸出ユニット２を使用中リストに基づいて特定し（Ａ１４）、その特定した計数貸出ユニット２に盗難カード特定信号を送信し（Ａ１５）、盗難登録・照合処理を終了してメイン処理にリターンする。
【００４６】
又、管理装置５は、従業員が盗難登録リストからカードＩＤを削除する操作を行ったと判定すると（Ａ４：ＹＥＳ）、その従業員が指定したカードＩＤを盗難登録リストから削除し（Ａ１６）、盗難登録・照合処理を終了してメイン処理にリターンする。
【００４７】
（イ）計数貸出ユニット２が行う盗難報知処理。
計数貸出ユニット２は、メイン処理を実行中に盗難報知処理の開始タイミングになったか否かを判定しており、盗難報知処理の開始タイミングになったと判定すると、メイン処理から盗難報知処理に移行し、盗難報知処理を開始する。計数貸出ユニット２は、盗難報知処理を開始すると、入金、カードの受付、カードの返却の何れかが発生したか否かを判定し（Ｂ１）、管理装置５から盗難カード特定信号を受信したか否かを判定し（Ｂ２）、回収準備フラグを成立させているか否かを判定する（Ｂ３）。
【００４８】
計数貸出ユニット２は、入金、カードの受付、カードの返却の何れかが発生したと判定すると（Ｂ１：ＹＥＳ）、その処理の対象となったカードのカードＩＤ、処理種別、そのカードに対応付けられている入金残高、持玉数を特定可能なカード処理信号を管理装置５に送信し（Ｂ４）、盗難報知処理を終了してメイン処理にリターンする。
【００４９】
計数貸出ユニット２は、管理装置５から盗難カード特定信号を受信したと判定すると（Ｂ２：ＹＥＳ）、エラー状態を設定し（Ｂ５）、例えば「異常発生、従業員をお呼びください。」等の異常報知メッセージを液晶表示部２４に表示し（Ｂ６）、これ以降の全ての操作を無効化し（Ｂ７）、返却ボタン３１の操作及び従業員リモコン４０からのエラー解除信号の受信を待機する（Ｂ８、Ｂ９）。この場合、異常報知メッセージを確認した従業員は、上記したように事実確認を行い、盗難の疑いがあると判断すると、返却ボタン３１を操作し、一方、盗難の疑いがないと判断すると、従業員リモコン４０を操作する。
【００５０】
計数貸出ユニット２は、盗難の疑いがあると従業員が判断して返却ボタン３１を操作したことで、返却ボタン３１が操作されたと判定すると（Ｂ８：ＹＥＳ）、カードを返却し（Ｂ１０）、盗難報知処理を終了してメイン処理にリターンする。このとき、従業員は、自分で回収したカードを持参して遊技者と共に管理室に行き、管理室で詳細な事実確認を行う。一方、計数貸出ユニット２は、盗難の疑いがないと従業員が判断して従業員リモコン４０を操作したことで、従業員リモコン４０からエラー解除信号を受信したと判定すると（Ｂ９：ＹＥＳ）、エラー状態を解除し（Ｂ１１）、そのままカードの継続利用を許可する。そして、計数貸出ユニット２は、対象のカードが一般カード９及び会員カード１０の何れであるかを判定し（Ｂ１２）、対象のカードが一般カード９であると判定すると（Ｂ１２：ＹＥＳ）、回収準備フラグを成立させ（Ｂ１３）、盗難報知処理を終了してメイン処理にリターンし、一方、対象のカードが会員カード１０であると判定すると（Ｂ１２：ＮＯ）、回収準備フラグを成立させずに盗難報知処理を終了してメイン処理にリターンする。
【００５１】
計数貸出ユニット２は、回収準備フラグを成立させている、即ち、継続利用を許可したカードが一般カード９であると判定すると（Ｂ３：ＹＥＳ）、その一般カード９に記録されている入金残高及び持玉数の両方を監視し、入金残高及び持玉数の両方が無くなったか否かを判定する（Ｂ１４）。計数貸出ユニット２は、入金残高及び持玉数の両方が無くなったと判定すると（Ｂ１４：ＹＥＳ）、呼出メッセージを液晶表示部２４に表示し（Ｂ１５）、返却ボタン３１の操作を待機する（Ｂ１６）。この場合、呼出メッセージを確認した従業員は、入金残高及び持玉数の両方が無くなった一般カード９を回収すべく返却ボタン３１を操作する。計数貸出ユニット２は、従業員が返却ボタン３１を操作したことで、返却ボタン３１が操作されたと判定すると（Ｂ１６：ＹＥＳ）、カードを返却し（Ｂ１７）、回収準備フラグの成立を解除し（Ｂ１８）、盗難報知処理を終了してメイン処理にリターンする。遊技場においては、継続利用を許可した後に入金残高及び持玉数の両方が無くなった一般カード９がカードストック部３７に回収されてしまうことがなくなり、その一般カード９を従業員が回収することが可能となる。
【００５２】
以上に説明した本実施形態によれば、次のような効果を奏することができる。
盗難された一般カード９又は会員カード１０のカードＩＤを盗難登録リストに登録することにより、その一般カード９又は会員カード１０が何れかの計数貸出ユニット２で使用されると、異常報知メッセージを液晶表示部２４に表示し、これ以降の全ての操作を無効化するようにしたので、一般カード９又は会員カード１０が盗難された遊技者が受ける被害を抑制することができる。そして、従業員が事実確認を行った結果として盗難された一般カード９又は会員カード１０でないとの判断をしたことで、そのままカードの継続利用を許可すると、一般カード９である場合には、その一般カード９に記録されている入金残高及び持玉数の両方が無くなったときに一般カード９を回収することなく、一般カード９を回収すべき旨の呼出メッセージを表示するようにしたので、盗難登録された一般カード９がそのまま回収されてしまうことを防止することができる。
【００５３】
本発明は、上記した実施形態にのみ限定されるものではなく、以下のように変形又は拡張することができる。
計数機能が付設されている計数貸出ユニット２を例示したが、計数機能が付設されていない貸出ユニットであっても良い。
管理装置５が行う情報処理の一部を計数貸出ユニット２にて行っても良い。即ち、盗難登録手段、照合手段、異常報知手段を管理装置５が備えることで、盗難登録リストへのカードＩＤの追加、盗難登録リストからのカードＩＤの削除、カードＩＤの照合等を管理装置５が行う構成を例示したが、これらの各手段を計数貸出ユニット２が備えることで、盗難登録リストへのカードＩＤの追加、盗難登録リストからのカードＩＤの削除、カードＩＤの照合等を計数貸出ユニット２が行う構成であっても良い。又、これらの各手段を管理装置５及び計数貸出ユニット２の双方が備える構成であっても良い。これらの各手段を計数貸出ユニット２が備える構成では、一の計数貸出ユニット２で管理される情報（盗難登録リストへのカードＩＤの追加、盗難登録リストからのカードＩＤの削除等）が他の計数貸出ユニット２に送信されることで、全ての計数貸出ユニット２が情報を常に共有する。又、カードＩＤの照合を計数貸出ユニット２が行う場合には、盗難登録リストを管理装置５から計数貸出ユニット２に送信する必要があるが、盗難登録リストを送信するタイミングは、盗難登録リストが更新された（カードＩＤが追加又は削除された）タイミングであっても良いし、所定周期の定期的なタイミングであっても良い。
【００５４】
盗難登録リストにカードＩＤを追加する操作（盗難登録の操作）、盗難登録リストからカードＩＤを削除する操作（盗難登録解除の操作）を管理装置５にて行う構成を例示したが、盗難登録や盗難登録解除の操作を計数貸出ユニット２にて行い、その操作の情報を計数貸出ユニット２から管理装置５に送信することで、盗難登録リストを管理装置５にて管理する構成であっても良い。又、盗難登録や盗難登録解除の操作を管理装置５及び計数貸出ユニット２の両方にて行うことが可能な構成であっても良い。更に、盗難登録の操作を計数貸出ユニット２に行い、盗難登録解除の操作を管理装置５にて行うことが可能な構成であっても良い。
【００５５】
計数貸出ユニット２において、盗難カードの通知を受けたときには全ての操作を無効化する構成を例示したが、返却操作のみを無効化し、貸し出し操作や払い出し操作をそのまま有効としても良い。
入金残高及び持玉数の両方が無くなったときにカードをカードストック部３７に回収する構成を例示したが、少なくとも入金残高が無くなったときにカードをカードストック部３７に回収しても良い。
【００５６】
一般カード９に持玉数を記録するようにしたが、一般カード９に識別情報のみを記録すると共に、管理装置５が持玉数を記憶し、識別情報に基づいて管理装置５が記憶している持玉数を特定するようにしても良い。
会員カード１０に持玉数や貯玉数を記録し、管理装置５が記憶している持玉数や貯玉数と照合した上で景品交換するようにしても良い。
記録媒体の形態はカードに限定されず、コイン形状等どのような形態であっても良い。又、パチンコ遊技機に限定されず、例えばスロットマシンであっても良い。又、封入式の遊技機であっても良い。
【００５７】
一般カード９は原則として当日限り有効であるが、当日中に入金残高の精算をしなかった場合には例外的に翌日以降でも精算可能としても良い。
遊技媒体の貸し出しや払い出しを、遊技機１内部の払出機構により行うようにしたが、計数貸出ユニット２に設けられた払出機構により行っても良い。
【符号の説明】
【００５８】
図面中、１は遊技機、２は計数貸出ユニット（記録媒体処理装置）、５は管理装置（盗難登録手段、照合手段、異常報知手段）、９は一般カード（記録媒体）、１０は会員カード（記録媒体）、３２は制御部（異常報知停止手段）、３７はカードストック部（収納部）、３９は計数部（計数手段）である。
【図１】
2015198815.tif 000003
【図２】
2015198815.tif 000004
【図３】
2015198815.tif 000005
【図４】
2015198815.tif 000006
【図５】
2015198815.tif 000007
【図６】
2015198815.tif 000008